(57)【要約】【課題】  複数のレンズ装置からなるレンズシステムにおいて、レンズの駆動指令は同期して動作するが、任意のレンズ装置のスイッチ操作は複数のレンズ装置で共有して作用しなかった【解決手段】  レンズシステムは、複数のレンズ装置を含み、該複数のレンズ装置のそれぞれは、該レンズ装置が持つ所定の機能に対する設定情報である第１の設定情報を該複数のレンズ装置のうちの１以上の他のレンズ装置に送信し、該１以上の他のレンズ装置から該所定の機能に対する設定情報を外部設定情報として受信する通信手段と、該第１の設定情報と該外部設定情報に基づいて第２の設定情報を演算し、該第２の設定情報に基づいて該レンズ装置の該所定の機能を実行する実行手段と、を備える。【選択図】  図１
2013160798.tif 000002
【特許請求の範囲】
【請求項１】
複数のレンズ装置を含むレンズシステムであって、
該複数のレンズ装置のそれぞれは、
該レンズ装置が有する所定の機能に対する設定情報である第１の設定情報を、該複数のレンズ装置のうちの１以上の他のレンズ装置に送信し、該１以上の他のレンズ装置から該所定の機能に対する設定情報を外部設定情報として受信する通信手段と、
該第１の設定情報と該外部設定情報に基づいて第２の設定情報を演算し、該第２の設定情報に基づいて該レンズ装置が有する該所定の機能を実行する実行手段と、
を備えることを特徴とするレンズシステム。
【請求項２】
前記レンズ装置は、前記所定の機能に対する設定を行うための１以上の操作手段と、
該操作手段による設定値に基づいて前記第１の設定情報を変更する変更手段と、
を備える、ことを特徴とする請求項１に記載のレンズシステム。
【請求項３】
前記変更手段は、１以上の前記操作手段による設定値の論理和に基づいて前記第１の設定情報を変更する、ことを特徴とする請求項２に記載のレンズシステム。
【請求項４】
前記変更手段は、１以上の前記操作手段による設定値の組合せに基づいて前記第１の設定情報を変更する、ことを特徴とする請求項２に記載のレンズシステム。
【請求項５】
前記実行手段は、前記外部設定情報と前記第１の設定情報との論理和に基づいて前記第２の設定情報を演算し、該第２の設定情報に基づいて前記レンズ装置が有する前記所定の機能を実行する、ことを特徴とする請求項１乃至４のいずれか１項に記載のレンズシステム。
【請求項６】
前記実行手段は、前記外部設定情報と前記第１の設定情報との組合せに基づいて前記第２の設定情報を演算し、該第２の設定情報に基づいて前記レンズ装置が有する前記所定の機能を実行する、ことを特徴とする請求項１乃至４のいずれか１項に記載のレンズシステム。
【請求項７】
前記第２の設定情報はリターン動作の設定情報であり、
前記実行手段は、前記第２の設定情報に基づいて前記レンズ装置とは異なる外部機器へ前記リターン動作の指令を送信する、
ことを特徴とする請求項１乃至６のいずれか１項に記載のレンズシステム。
【請求項８】
前記第２の設定情報は録画開始の設定情報であり、
前記実行手段は、前記第２の設定情報に基づいて前記レンズ装置とは異なる外部機器へ前記録画開始の指令を送信する、
ことを特徴とする請求項１乃至６のいずれか１項に記載のレンズシステム。
【請求項９】
前記第２の設定情報はプリセット動作の設定情報であり、
前記実行手段は前記第２の設定情報に基づいて前記レンズ装置のプリセット動作を開始する、
ことを特徴とする請求項１乃至６のいずれか１項に記載のレンズシステム。
【請求項１０】
前記レンズ装置は、前記実行手段が前記第２の設定情報に基づいて該レンズ装置の前記所定の機能を実行するタイミングを所定の時間、待機させる待機手段を備える、ことを特徴とする請求項１乃至９のいずれか１項に記載のレンズシステム。
【請求項１１】
前記複数のレンズ装置は、２台のレンズ装置であり、
該２台のレンズ装置のそれぞれは、他方のレンズ装置に前記第１の設定情報を送信してから、該他方のレンズ装置において該第１の設定情報が前記外部設定情報として前記第２の設定情報の演算に反映されるまでの時間を前記所定の時間として設定する、
ことを特徴とする請求項１０に記載のレンズシステム。
【請求項１２】
所定の機能を有するレンズ装置であって、
前記所定の機能に対する設定情報である第１の設定情報を他のレンズ装置に送信すると共に、前記他のレンズ装置の前記所定の機能に対する設定情報を外部設定情報として受信する通信手段と、
前記第１の設定情報と前記外部設定情報とに基づいて第２の設定情報を求め、該第２の設定情報の下で前記所定の機能を実行する実行手段と、
を備えることを特徴とするレンズ装置。
【請求項１３】
前記所定の機能に対する設定を行うための操作手段と、該操作手段による設定値に基づいて前記第１の設定情報を変更する変更手段と、を備えることを特徴とする請求項１２に記載のレンズ装置。
【請求項１４】
前記第２の設定情報はリターン動作、録画開始、プリセット動作のうちいずれかの機能に対する設定情報であり、
前記通信手段は、前記第２の設定情報に基づいて前記他のレンズ装置の前記いずれかの機能に対して動作の指令を送信する、
ことを特徴とする請求項１２又は１３に記載のレンズ装置。
【発明の詳細な説明】
【技術分野】
【０００１】
本発明はレンズシステムに関し、特に複数のレンズ装置を備えたレンズシステムに関するものである。
【背景技術】
【０００２】
従来、複数のレンズ装置を用いて立体撮影を行う際、それぞれ同様な構成からなる複数のレンズ装置を同期して動作させるために様々な提案がなされてきた。例えば特許文献１では、２つのズームレンズの内、ズームレンズＡがズーミング指令によりズーム動作を行い、ズームレンズＢがズームレンズＡを追従するようにズーム動作を行う技術が開示されている。
【０００３】
また、リグと呼ばれる固定具を用いて２台のカメラ及び、レンズを固定して立体撮影を行う方法がある。リグには水平リグと垂直リグがあり、水平リグは２台のレンズを水平に並列させて固定する方法である。一方、垂直リグは２台のレンズの光軸が垂直に交わるように固定し、光軸の交点にハーフミラーを用いて２台のレンズで同一被写体を撮影する方法である。２台のレンズの大きさによって並列して配置すると物理的に干渉して、ある基線長より短い基線長に設定することが出来ない場合に、垂直リグを用いることで事実上、光学的に基線長を０ｍｍまで設定することが可能となる。しかし、垂直リグはハーフミラーを用いて光束を分光するので、露出を取る上で水平リグに対して不利となる。よって、使用するレンズの用途によって水平リグと垂直リグを使い分ける。
【先行技術文献】
【特許文献】
【０００４】
【特許文献１】特開平９−１２７４００号公報
【発明の概要】
【発明が解決しようとする課題】
【０００５】
例えば、特許文献１の技術を用いて、図１２のような運用形態で撮影する場合を考える。同図は被写体をカメラＡ２０００及び、カメラＢ２００１の２台で垂直リグを用いて立体撮影を行う構成を示す。同図のようにレンズＡ２００２を水平に、レンズＢ２００３をレンズＡ２００２の光軸に対して垂直に配置し、レンズＡ２００２及び、レンズＢ２００３の光軸の交点にハーフミラー２００４を配置することによって光学的に基線長が可変となる。レンズＡ２００２とレンズＢ２００３は同期制御を行うために、ケーブル２００５で接続されている。また、レンズＡ２００５及び、レンズＢ２００３の不図示のズームレンズを操作するためのズーム操作部材２００６はレンズＢ２００３に接続されている。また、レンズＡ２００２及び、レンズＢ２００３の不図示のフォーカスレンズを操作するためのフォーカス操作部材２００７はレンズＡ２００２に接続されている。ズーム操作には低速駆動または高速駆動などの駆動方法があり、垂直に配置されたレンズＢ２００３は自重が掛り、レンズＡ２００２に対してレンズ制御上不利な条件となっている。そのため、レンズＡ２００２とレンズＢ２００３の同期精度を向上させるために、レンズＢ２００３にズーム操作部材２００６を接続する運用方法が知られている。
【０００６】
特許文献１によれば、ズーム操作部材２００６よりズームの駆動指令が出力されるとレンズＢ２００３では、駆動指令に基づいてレンズＢ２００３の不図示のズームレンズを駆動する。次に、レンズＢ２００３では、レンズＡ２００２とレンズＢ２００３の不図示のズームレンズの現在位置の差分を演算する。次に、レンズＢ２００３では、ケーブル２００５を介してレンズＡ２００２に、前記差分を出力する。次に、レンズＡ２００２は受信した前記差分を基にレンズＡ２００２の不図示のズームレンズを駆動する。以上の流れによって、レンズＡ２００２とレンズＢ２００３は同期して駆動する。
【０００７】
ところで、一般的にズーム操作部材２００６にはリターンスイッチが搭載されている。以降、リターンスイッチはＲＥＴスイッチと表記して説明を進める。一般的にＲＥＴスイッチはカメラに搭載または接続されているビューファインダーの表示をカメラで撮影している映像と、本線と呼ばれる放映中の映像や他のカメラの映像に切り替える操作をするためのスイッチである。また、操作者が必要に応じてＲＥＴスイッチを押してビューファインダーの表示を切り替える。
【０００８】
ここで、ＲＥＴスイッチの運用例を特許文献１に適用する。まず、操作者２００８はズーム操作部材２００６に搭載されているＲＥＴスイッチをＯＮにする。次に、ズーム操作部材２００６からレンズＢ２００３へＲＥＴスイッチ状態が送信され、レンズＢ２００３はカメラＢ２００１に受信したＲＥＴスイッチ状態を知らせる。次に、カメラＢ２００１はビューファインダーＢ２００９の表示を現在レンズ装置Ｂ２００３にて撮影している映像から本線の映像に切り替える。
【０００９】
以上の一連の流れから、カメラＢ２００１に搭載されたビューファインダーＢ２００９の表示は本線の映像に切り替わるが、カメラＡ２０００に搭載されたビューファインダーＡ２０１０の表示は切り替わらない。つまり、特許文献１では、操作者２００８は目の前にあるビューファインダーＡ２０１０で本線の映像を確認したいが、確認することが出来ないので、垂直リグの配置上、見ることが困難なビューファインダーＢ２００９を見に行かなければならず、不便を感じる。また、ＲＥＴスイッチ以外にも様々なスイッチがある。例えば、録画スイッチと呼ばれる、撮影中の映像をカメラや外部機器にて録画を開始するスイッチ、プリセットスイッチと呼ばれる、フォーカスレンズ及びズームレンズを予め定められた位置に駆動するスイッチなどのスイッチがあるが、これらスイッチによって操作されているカメラの情報を共有する必要がある。以降、録画スイッチはＲＥＣスイッチと表記して説明を進める。
【００１０】
そこで、本発明の目的は、任意のレンズ装置のスイッチ操作により複数のレンズ装置に当該スイッチ操作に基づく動作を行わせることを可能としたレンズシステムを提供することである。
【課題を解決するための手段】
【００１１】
上記目的を達成するために、本発明は、複数のレンズ装置を含むレンズシステムであって、該複数のレンズ装置のそれぞれは、該レンズ装置が持つ所定の機能に対する設定情報である第１の設定情報を該複数のレンズ装置のうち１以上の他のレンズ装置に送信し、該１以上の他のレンズ装置から該所定の機能に対する設定情報を外部設定情報として受信する通信手段と、該第１の設定情報と該外部設定情報に基づいて第２の設定情報を演算し、該第２の設定情報に基づいて該レンズ装置の該所定の機能を実行する実行手段と、を備えることを特徴とする構成とする。
また、上記の目的を達成するためのレンズ装置は、所定の機能を有するレンズ装置であって、前記所定の機能に対する設定情報である第１の設定情報を他のレンズ装置に送信すると共に、前記他のレンズ装置の前記所定の機能に対する設定情報を外部設定情報として受信する通信手段と、前記第１の設定情報と前記外部設定情報とに基づいて第２の設定情報を求め、該第２の設定情報の下で前記所定の機能を実行する実行手段と、を備えることを特徴とする。
【発明の効果】
【００１２】
本発明によれば、任意のレンズ装置のスイッチ操作により複数のレンズ装置に当該スイッチ操作に基づく動作を行わせることが可能なレンズシステムを提供することができる。よって、例えば、ＲＥＴスイッチであれば、操作者が遠くのビューファインダーを見に行くような、不便を低減できる。
【図面の簡単な説明】
【００１３】
【図１】第１実施例の構成図
【図２】第１実施例のフローチャート
【図３】第１実施例のコネクタ接続先認識フローチャート
【図４】第２実施例の構成図
【図５】第２実施例のフローチャート
【図６】第３実施例の構成図
【図７】第３実施例のフローチャート
【図８】第３実施例のスイッチ組合せ例
【図９】第４実施例の構成図
【図１０】第４実施例のフローチャート
【図１１】第４実施例のフラグ配列更新処理のフローチャート
【図１２】従来の撮影システム
【発明を実施するための形態】
【００１４】
以下に、本発明の好ましい実施の形態を、添付の図面に基づいて詳細に説明する。
【実施例１】
【００１５】
本実施例におけるレンズシステムの構成を図１に示す。以下の説明では、本発明を分かりやすくするために本発明の主要な部位のみ図示し、本発明の特徴部ではない部位は省略した。
【００１６】
図１においてレンズ装置Ａ１００及び、レンズ装置Ｂ３００は互いに同様な構成を有し、各々着脱可能なカメラＡ５００及びカメラＢ６００に装着されている。レンズ装置Ａ１００とレンズ装置Ｂ３００はケーブルで接続されている。同様に、カメラＡ５００及びカメラＢ６００はケーブルで接続されている。操作部材Ａ２００及び操作部材Ｂ４００は、レンズ装置Ａ１００及びレンズ装置Ｂ３００を操作するための部材である。また、操作部材Ａ２００はレンズ装置Ａ１００と、操作部材Ｂ４００はレンズ装置Ｂ３００と、ケーブルで接続されている。カメラＡ５００及びカメラＢ６００には各々、ビューファインダーＡ７００及びビューファインダーＢ８００が接続されている。レンズ装置Ａ１００とレンズ装置Ｂ３００、操作部材Ａ２００と操作部材Ｂ４００、カメラＡ５００とカメラＢ６００及びビューファインダーＡ７００とビューファインダーＢ８００は各々、互いに同様な構成である。したがって、レンズ装置Ａ１００、操作部材Ａ２００、カメラＡ５００及びビューファインダーＡ７００についてのみ説明をする。
【００１７】
レンズ装置Ａ１００に搭載されているＳＷ操作手段１０１は、操作者が各設定を変更するためのスイッチである。ＳＷ読出し手段１０２はＳＷ操作手段１０１のスイッチ状態を読み出す。以下、「ＳＷ」はスイッチを表し、スイッチ状態はスイッチが有効であるＯＮ状態及びスイッチが無効であるＯＦＦ状態の２通りの状態を取り得るものとするが、本発明はスイッチ状態が２通りの状態のみを取ることができる構成に限定されることはない。レンズ装置Ａ１００及びレンズ装置Ｂ３００は第１コネクタ１０３及びレンズ装置Ｂ３００の任意のコネクタを介して接続される。また、レンズ装置Ａ１００は第２コネクタ１０４を介して操作部材Ａ２００と接続する。また、第１送信手段１０５及び第２送信手段１０６はレンズ装置Ａ１００の外部にスイッチ状態等の情報を送信する。また、第１受信手段１０７及び第２受信手段１０８はレンズ装置Ａ１００の外部より送られるスイッチ状態等の情報を受信する。
【００１８】
接続選択手段１０９は、レンズ装置Ａ１００に構成される第１コネクタ１０３及び第２コネクタ１０４の接続先がレンズ装置、操作部材であるか、または、非接続であるかを判断する。第１ＳＷ合成手段（変更手段）１１０は、ＳＷ読出し手段１０２にて読み出した設定値であるスイッチ状態と接続選択手段１０９より送られた設定値であるスイッチ状態を合成する。本実施例における合成方法は論理和を演算することとする。第２ＳＷ合成手段（実行手段）１１１は第１ＳＷ合成手段１１０にて演算されたスイッチ状態及び接続選択手段１０９より送られたスイッチ状態を合成する。
【００１９】
ＳＷ処理手段（実行手段）１１２は、第２ＳＷ合成手段１１１にて演算されたスイッチ状態に応じて後述するレンズ内部処理手段１１３またはカメラ処理手段５０１にスイッチ状態を送る。レンズ内部処理手段１１３は、ＳＷ処理手段１１２から送られたスイッチ状態に応じてレンズ内部に関する処理を行う。例えば、プリセットスイッチであれば不図示のズームレンズやフォーカスレンズまたは可動絞りを予め定められた位置に駆動する。ここで、ズームレンズとは、レンズ装置の中でズーミング中に移動するレンズ群（レンズユニット）であり、フォーカスレンズは合焦動作中（フォーカシング中）に移動するレンズ群であり、可動絞りはレンズ装置を通る光束の光量を変化させることが可能な絞りである。
【００２０】
次に、操作部材Ａ２００について説明する。操作部材ＳＷ手段２０１は操作者がレンズ装置Ａ１００の各設定を変更することを可能とするスイッチである。操作部材ＳＷ読出し手段２０２は、操作部材ＳＷ手段２０１のスイッチ状態を読み出す。操作部材通信手段２０３は、操作部材ＳＷ読出し手段２０２にて読み出したスイッチ状態等の情報を前記レンズ装置Ａ１００に送信する。または、前記レンズ装置Ａ１００から送られた情報を受信する。
【００２１】
次に、カメラＡ５００について説明する。カメラ処理手段５０１は、ＳＷ処理手段から送られたスイッチ状態に基づいて、ビューファインダーＡ７００の表示の切り替え、または、レンズ装置Ａ１００にて撮影された映像の録画を行うなどの処理を行う。
次にビューファインダーＡ７００について説明する。ビューファインダーＡ７００はカメラ処理手段５０１からの指令により画像を表示する。
次に、レンズ装置Ａ１００の動作を図２及び図３に示すフローチャートを使用して詳細に説明する。
【００２２】
まず、ステップＳ１００では接続状態認識処理として各コネクタの接続先がレンズ装置か操作部材であるか、または、何も接続されていないかを判断する。ステップＳ１００の接続状態認識処理について図３を使用して説明する。
まず、ステップＳ２００では、レンズ装置Ａ１００に構成されているコネクタを識別する変数ｎに１を代入して初期化する。
【００２３】
ステップＳ２０１では、第ｎコネクタにレンズ装置または操作部材が接続されているか否かを判断する。例えば、レンズ装置Ａ１００よりシリアル通信を用いて信号をコネクタ経由で送信し、受信したレンズ装置または操作部材がレンズ装置か操作部材かを識別できるフラグ付きの信号をレンズ装置Ａ１００に返信するように構成することにより判断することができる。ステップＳ２０１において、第ｎコネクタは外部機器に接続されているときはステップＳ２０２へ進む。一方、ステップＳ２０１において、第ｎコネクタは外部機器に接続されていないときはステップＳ２０５へ進む。図１の場合、総コネクタ数Ｎ＝２であり、変数ｎ＝１及び変数ｎ＝２のときステップＳ２０１からステップＳ２０２へ進む。
【００２４】
ステップＳ２０２では、第ｎコネクタの接続先がレンズ装置であるか、操作部材であるかを判断する。判断方法はステップＳ２０１と同様にし、レンズ装置Ａ１００に返信された識別フラグを参照しても良い。ステップＳ２０２において、第ｎコネクタの接続先はレンズ装置である場合はステップＳ２０３へ進む。一方、ステップＳ２０２において、第ｎコネクタの接続先はレンズ装置でない場合はステップＳ２０４へ進む。図１の場合、総コネクタ数Ｎ＝２であり、変数ｎ＝１のとき、ステップＳ２０３へ進み、変数ｎ＝２のとき、ステップＳ２０４へ進む。
【００２５】
ステップ２０３では、フラグ情報である変数コネクタ接続情報(n)に、第ｎコネクタは「レンズ接続」として記憶し、ステップＳ２０６へ進む。
ステップＳ２０４では、フラグ情報である変数コネクタ接続情報(n)に、第ｎコネクタは「操作部材接続」として記憶し、ステップＳ２０６へ進む。
ステップＳ２０５では、フラグ情報である変数コネクタ接続情報(n)に、第ｎコネクタは「非接続」として記憶し、ステップＳ２０６へ進む。図１の場合、総コネクタ数Ｎ＝２であり、コネクタ接続情報(1)は「レンズ接続」、コネクタ接続情報(2)は「操作部材接続」と記憶する。
ステップＳ２０６では、変数ｎをインクリメントする。
【００２６】
ステップＳ２０７では、レンズ装置Ａ１００に構成されている総コネクタ数Ｎについての確認が完了したか否かを判断する。全コネクタについての確認が完了していない場合はステップＳ２０１へ戻り、全コネクタを確認し終えるまで、ステップＳ２０１からステップＳ２０７間を繰り返す。一方、全コネクタについての確認が完了した場合は図３に示した接続状態認識処理のサブルーチンを終了し、図２のフローチャートのステップＳ１０１へ戻る。図１に示した本実施例の場合、コネクタ数は２つ（１０３，１０４）なので、総コネクタ数Ｎは２となる。また、変数ｎ＝１のとき接続状態認識処理の対象となるコネクタは第１コネクタ１０３となり、変数ｎ＝２のとき接続状態認識処理の対象となるコネクタは第２コネクタ１０４となる。また、変数ｎ＝１及び変数ｎ＝２のとき、ステップＳ２０１へ戻ることになる。
【００２７】
次に、ステップＳ１０１では、ＳＷ操作手段１０１のスイッチ状態を読み出す。ステップＳ１０２では、ステップＳ１０１にて読み出したスイッチ状態を第１の設定情報である第１ＳＷ状態に記憶する。第１の設定情報は所定の機能に対する設定情報であり、当該所定の機能としては、例えば、リターン動作、録画、プリセット動作などがある。当該所定の機能の詳細については後述する。
【００２８】
その後、ステップＳ１０３からステップＳ１０８間でレンズ装置に接続されている操作部材のスイッチ状態を受信し、合成する。まず、ステップＳ１０３では、レンズ装置Ａ１００に構成されているコネクタを識別する変数ｎに１を代入して初期化する。
【００２９】
次に、ステップＳ１０４では、コネクタ接続情報(n)のフラグ情報が「操作部材接続」か否かを判断する。フラグ情報が「操作部材接続」である場合はステップＳ１０５へ進む。一方、フラグ情報が「操作部材接続」ではない場合はステップＳ１０７へ進む。図１に示した本実施例の場合、総コネクタ数Ｎ＝２であり、変数ｎ＝１のとき、コネクタ接続情報(１)は「操作部材接続」であるのでステップＳ１０７へ、変数ｎ＝２のとき、コネクタ接続情報(２)は「レンズ接続」であるのでステップＳ１０５へ進む。
【００３０】
ステップＳ１０５では、第ｎコネクタに接続されている操作部材よりスイッチ状態を受信してステップＳ１０６へ進む。
ステップＳ１０６では、第１ＳＷ状態とステップＳ１０５にて受信した操作部材のスイッチ状態の論理和を演算し（求め）、第１の設定情報である第１ＳＷ状態に記憶してステップＳ１０７へ進む。このステップＳ１０６では、第１ＳＷ状態とステップ１０５にて受信した操作部材のスイッチ状態の論理和を演算することとしたが、この限りではなく、２つの状態に基づいてメモリに記憶されたデータを読み出しても構わないし、勿論論理和以外の演算で求めても構わない。
ステップＳ１０７では、変数ｎをインクリメントする。ステップＳ１０７の実行後はステップＳ１０８へ進み、レンズ装置Ａ１００に構成されている全コネクタについて確認が完了したか否かを判断する。
ステップＳ１０８において、全コネクタを確認し終えていない場合はステップＳ１０４へ戻る。全コネクタを確認し終えた場合はステップＳ１０９へ進む。図１に示した本実施例の場合、総コネクタ数Ｎ＝２であり、変数ｎ＝１及び、変数ｎ＝２のとき、ステップＳ１０４へ戻り、ステップＳ１０４からステップＳ１０８間を繰り返す。
【００３１】
次に、ステップＳ１０９からステップＳ１１６間でレンズ装置Ａ１００に接続されているレンズ装置Ｂ３００のスイッチ状態を受信し、合成する。まず、ステップＳ１０９では、第２ＳＷ状態に第１ＳＷ状態を代入して初期化する。
ステップＳ１１０ではレンズ装置Ａ１００に構成されているコネクタを識別する変数ｎに１を代入して初期化する。
【００３２】
ステップＳ１１１では、コネクタ接続情報（ｎ）のフラグ情報が「レンズ接続」か否かを判断する。フラグ情報が「レンズ接続」である場合はステップＳ１１２へ進む。一方、フラグ情報が「レンズ接続」ではない場合はステップＳ１１５へ進む。図１に示した本実施例の場合、総コネクタ数Ｎ＝２であり、変数ｎ＝１のときコネクタ接続情報(１)は「操作部材接続」であるのでステップＳ１１２へ、変数ｎ＝２のときコネクタ接続情報(２)は「レンズ接続」であるので、ステップＳ１１５へ進む。
【００３３】
ステップＳ１１２では、第ｎコネクタに接続されているレンズ装置へ第１ＳＷ状態に記憶したスイッチ状態を送信し、ステップＳ１１３へ進む。
ステップＳ１１３では、第ｎコネクタに接続されているレンズ装置よりスイッチ状態（外部設定情報）を受信し、ステップＳ１１４へ進む。
ステップＳ１１４では、第２ＳＷ状態とステップＳ１１３にて受信したスイッチ状態（外部設定情報）の論理和を演算し、第２の設定情報として第２ＳＷ状態に記憶してステップＳ１１７へ進む。このステップＳ１１４では、２つの状態（スイッチ状態）の論理和を演算しているがこの限りではなく、２つの状態の組み合わせに基づいてメモリから第２の設定情報を導き出しても構わないし、論理和以外の演算を行っても構わない。いずれにしても、このステップＳ１１４では、２つの状態から第２の設定情報を導き出している（得る、求める、知る）。また、ステップＳ１１５では、変数ｎをインクリメントする。
【００３４】
ステップＳ１１５実行後はステップＳ１１６へ進み、レンズ装置Ａ１００に構成されている全コネクタについてレンズ装置が接続されているか否かを確認し終えるまでステップＳ１１１、Ｓ１１５、Ｓ１１６を繰り返す。
ステップＳ１１６において、全コネクタを確認し終えていない場合はステップＳ１１１へ戻る。一方、全コネクタを確認し終えた場合はステップＳ１１７へ進む。図１に示した本実施例の場合、総コネクタ数Ｎ＝２であり、変数ｎ＝１及び変数ｎ＝２のとき、ステップＳ１１１へ戻る。
【００３５】
ステップＳ１１７では、第２ＳＷ状態をカメラＡ５００または、レンズ内部処理手段１１３に指令を送る（ＳＷ処理をする）。例えば、ＳＷ操作手段１０１及び操作部材ＳＷ手段２０１が、カメラのビューファインダーに表示する映像の切り替えのためのリターンスイッチ（ＲＥＴスイッチ）であれば、カメラのビューファインダーを切り替えるリターン動作の指令をカメラＡ５００に送る。また、録画開始を指令するためのＲＥＣスイッチであれば録画を開始する指令をカメラＡ５００に送る。または、プリセットスイッチであれば、レンズ装置Ａ１００内の所定の光学機器をプリセットされた位置まで駆動するための指令をレンズ内部処理手段１１３に送る。ＲＥＴスイッチを受信したカメラＡ５００はビューファインダーＡ７００の表示を本線の映像に切り替える。また、ＲＥＣスイッチを受信したカメラＡ５００はレンズ装置Ａ１００にて撮影されている映像の録画を開始する。また、プリセットスイッチを受信したレンズ内部処理手段１１３は不図示のズームレンズやフォーカスレンズを予め定められた位置に駆動する。
ステップＳ１１７実行後はステップＳ１００に戻り、ステップＳ１００からステップＳ１１７間を繰り返す。
【００３６】
レンズ装置Ａ１００で行われる処理に着目して説明したが、同様の処理がレンズ装置Ｂ３００でも行われる。
【００３７】
以上の構成によれば図１２のような運用形態において、ＲＥＴスイッチの場合、任意のレンズ装置のスイッチ操作でビューファインダーＡ７００及びビューファインダーＢ８００の表示が切り替わる。また、ＲＥＣスイッチの場合、任意のレンズ装置のスイッチ操作でカメラＡ５００及びカメラＢ６００が録画を開始する。また、プリセットスイッチの場合、任意のレンズ装置のスイッチ操作でレンズ装置Ａ１００及びレンズ装置Ｂ３００がプリセット動作を開始する。即ち、任意のレンズ装置のスイッチ操作で複数システムを動作させることが可能となり、レンズ装置やカメラ毎にスイッチをＯＮにする必要が無くなる。よって、図１２の運用形態の場合、撮影者２００８はズーム操作部材２００６のＲＥＴスイッチを押すことによりビューファインダーＢ２００９で本線の映像を確認する必要はなくなり、目の前のビューファインダーＡ２０１０で本線の映像を確認することができる。
【００３８】
また、レンズ装置Ａ１００及びレンズ装置Ｂ３００は各々、カメラＡ５００及びカメラＢ６００と着脱可能としたが、一体の構成でも本発明の効果を得ることができる。また、ビューファインダーＡ７００及びビューファインダーＢ８００は各々、カメラＡ５００及びカメラＢ６００と接続されているとしたが、一体の構成でも本発明の効果を得られる。また、第１コネクタ１０３にレンズ装置Ｂ３００を、第２コネクタ１０４に操作部材Ａ２００を接続しているが、第１コネクタ１０３に操作部材Ａ２００を、第２コネクタ１０４にレンズ装置Ｂ３００を接続しても良い。また、レンズ装置Ａ１００に操作部材Ａ２００を接続する構成としたが、ＳＷ操作手段１０１でスイッチ操作が可能なので、レンズ装置Ａ１００に操作部材を接続しない構成でも本発明の効果を得られる。また、本実施例では、コネクタの数は２つとしたが、レンズ装置Ａ１００及び、レンズ装置Ｂ３００を接続するコネクタの一つとしてもレンズ装置Ａ１００及びレンズ装置Ｂ３００間でスイッチ状態の通信が可能なので、本発明の効果を得られる。或は、コネクタの数を増やして、操作部材を複数接続してもレンズ装置Ａ１００及びレンズ装置Ｂ３００間でスイッチ状態の通信が可能なので、本発明の効果を得られる。
【００３９】
また、ＳＷ操作手段１０１及び操作部材ＳＷ手段２０１のスイッチは各設定が変更可能であれば形態は問わない。例えば、押しボタンやスライド式のボタンでも本発明の効果を得られる。また、ステップＳ２０２及びステップＳ２０３において通信方法としてシリアル通信を用いたが、端子またはレンズ装置、操作部材に割り当てられた専用線を用いた、パラレル通信で通信を行っても本発明の効果を得られる。また、ＲＥＴスイッチ、ＲＥＣスイッチ及びプリセットスイッチは例であり、任意のレンズ装置のスイッチ操作であればこれに限らない。また、本実施例ではレンズ装置Ａ１００とレンズ装置Ｂ３００はケーブルで接続されているが、第１コネクタ及び第２コネクタを無線通信が可能な装置とすることにより本発明の効果を得ることができる。または、第１コネクタ１０３及び第２コネクタ１０４に無線通信を行う装置を接続し、ケーブルで接続した場合と同じ内容を通信することにより、本発明の効果を得ることができる。更に、カメラＡ５００とカメラＢ６００、レンズ装置Ａ１００と操作部材Ａ２００及びレンズ装置Ｂ３００と操作部材Ｂ４００も同様にして無線通信を行っても本発明の効果を得られる。これらは以降の実施例でも同様である。
【実施例２】
【００４０】
本実施例の最も特徴的な部分は、レンズ装置間の通信において発生する遅れ時間を低減し、同期精度を向上させることである。すなわち、通信時間分、ＳＷ処理手段１１２を待機させることにより、レンズ装置間で発生する通信による遅れ時間を低減し、同期精度を向上させることが可能となる。例えば、２つのビューファインダーを隣に並べて同時に見ている場合、ＲＥＴスイッチをＯＮにした際に、２つのビューファインダーの表示の切り替わりタイミングを揃える。また、プリセットスイッチの場合、フォーカスレンズやズームレンズの駆動タイミングを揃える。更に、ＲＥＣスイッチの場合、２台のカメラの録画開始のタイミングを揃える。
【００４１】
以下の説明では、本発明を分かりやすくするために本発明の主要な部位のみ図示し、その他の部位の記載は省略した。
本実施例におけるレンズシステムの構成を図４に示す。レンズ装置Ａ１００及びレンズ装置Ｂ３００は同様な構成なので、レンズ装置Ａ１００についてのみ説明をする。また、図１に示す第１実施例と同様な構成については説明を省略し、第１実施例とは異なる部分について以下に説明する。
待機手段９００は、ＳＷ処理手段１１２を所定の時間待機させ、処理の開始タイミングを調整する。
【００４２】
次に、レンズ装置Ａ１００の動作を図５に示すフローチャートを使用して詳細に説明する。図２及び、図３に示す第１実施例と同様な処理については説明を省略し、第１実施例とは異なる部分について説明する。ステップＳ１００からステップＳ１１１間は実施例１と同様なので説明を省略する。
【００４３】
ステップＳ１１１での、コネクタ接続情報（ｎ）のフラグ情報の判定において、フラグ情報が「レンズ接続」と判断したときステップＳ３００へ進み、フラグ情報が「レンズ接続」ではないと判断したときステップＳ１１５へ進む。ステップＳ１１５では、変数ｎをインクリメントしてステップＳ１１１に戻る。
【００４４】
ステップＳ３００では、既定時間αを経過したかチェックするためのタイマーのカウントを開始し、ステップＳ１１２へ進む。ステップＳ１１２からステップＳ１１４は第１の実施例と同様なので説明を省略する。
【００４５】
ステップＳ１１４からステップＳ３０１へ進み、ステップＳ３００にてカウントを開始したタイマーが既定時間αに到達したか否かを判断する。ステップＳ３０１が真のとき、ステップＳ３０２へ進む。一方、ステップＳ３０１が偽のとき、ステップＳ３０１へ戻り、ステップＳ３０１が真になるまで繰り返す。本実施例ではレンズ装置Ａ１００とレンズ装置Ｂ３００の通信による処理開始までの遅れ時間を既定時間αとして設定する。
次に、ステップＳ３０２では、ステップＳ３００にてカウントを開始したタイマーを止めて、リセットしＳ１１７へ進む。ステップＳ１１７は実施例１と同様なので説明を省略する。
【００４６】
以上の構成によればレンズ装置間の通信によって発生する処理開始までの遅れ時間が軽減でき、レンズ装置間の同期精度を向上することが可能となる。つまり、ビューファインダーの切り替わりタイミングのずれによって、使用者が感じる違和感を低減でき、録画開始のタイミングがずれたことによる、編集による映像のタイミングを合わせるような作業を低減することができる。
【００４７】
また、既定時間αはプログラムに書込んで事前に設定する構成、または、スイッチ等の設定手段によりレンズ装置の外部から任意に設定可能な構成としても良い。また、既定時間αはレンズ装置が、レンズ装置間の通信時間を計測または計算して設定する構成としても良い。例えば、レンズ装置Ａが他方のレンズ装置であるレンズ装置Ｂにレンズスイッチ状態を送信してから、レンズ装置Ｂにおいて受信したレンズスイッチ状態が第２ＳＷ情報に反映されるまでの時間を計測し既定時間αとしてもよい。また、このような規定時間αの初期化処理を装置の電源投入時に実行してもよい。
【００４８】
例示した実施例においては、レンズシステムは２台のレンズ装置を含み、２台のレンズ装置間で互いのスイッチ情報を送受信し、そのスイッチ情報に係る機能を同時に変更（スイッチ処理）することを記載したが、本発明はこれに限定されることはない。３台以上の複数のレンズ装置を含むレンズシステムにおいても、各レンズ装置のレンズ情報を互いに送受信して、各レンズ装置において反映したスイッチ情報を同時に反映させて、本実施例と同様の効果を得ることもできる。
【００４９】
更に、既定時間αは撮影システムの構成として様々な形態が考えられるので、各形態に合わせて任意に設定を行っても本発明の効果を得られる。これらは以降の実施例でも同様である。
【実施例３】
【００５０】
本実施例の最も特徴的な部分は、複数のスイッチ状態の組合せに基づいて、処理内容を切り替えることである。すなわち、処理の数に対応する数のスイッチを構成する必要が無くなる。例えば、二つのレンズを用いて立体撮影を行う際に、一つのビューファインダーに複数の映像を切り替えて表示したい場合がある。具体的には、一方のレンズ装置で撮影している映像、もう一方のレンズ装置で撮影している映像、本線または３Ｄボックスと呼ばれる２つの映像を合成して立体映像を生成する装置にて、生成された立体映像の４種類がある。この場合、ビューファインダーに４つの映像を切り替えて表示するために、４つのスイッチを用意するのではなく、２つのスイッチ状態の組合せによって４つの映像を切り替えて表示する。さらに、２つのスイッチは、必ずしも同じレンズ装置、または、操作部材上にある必要はなく、レンズ装置間、操作部材間、或いは、レンズ装置と操作部材間に搭載されたスイッチの組み合わせによっても上記の切り替えができる。
【００５１】
以下の説明では、本発明を分かりやすくするために本発明の主要な部位のみ図示し、本発明に不要な部位は省略した。
本実施例におけるレンズシステムの構成を図６に示す。図１に示す第１実施例及び、図４に示す第２実施例と同様な構成については説明を省略し、第１実施例及び、第２実施例とは異なる部分について以下に説明する。また、レンズ装置Ａ１００及び、レンズ装置Ｂ３００は互いに同様な構成を有するので、レンズ装置Ａ１００についてのみ説明をする。
【００５２】
本実施例のレンズ装置Ａ１００は、ＳＷ操作手段１０１と同様なＳＷ操作手段１０００、及び、ＳＷ読出し手段１０２と同様なＳＷ読出し手段１００１を更に有する。また、第１ＳＷ合成手段１１０と同様な第１ＳＷ合成手段１００２、及び、第２ＳＷ合成手段１１１と同様な第２ＳＷ合成手段１００３を更に有する。
【００５３】
ＳＷ処理手段１００４は、第２ＳＷ合成手段１１１にて演算されたスイッチ状態及び第２ＳＷ合成手段１００３にて演算されたスイッチ状態の組合せに基づいて処理内容を切り替え、レンズ内部処理手段１１３またはカメラ処理手段５０１に指令を送る。
以下、ＳＷ操作手段１０１と操作部材ＳＷ手段２０１をＲＥＴスイッチ１として、及び、ＳＷ操作手段１０００をＲＥＴスイッチ２として説明を進める。
【００５４】
次に、レンズ装置Ａ１００の動作を図７に示すフローチャートを使用して詳細に説明する。図２、図３及び、図５に示す第１実施例及び、第２実施例と同様な処理については説明を省略し、第１実施例及び、第２実施例とは異なる部分について説明する。ステップＳ１００は実施例１と同様なので説明を省略する。
ステップＳ１００からステップＳ４００に進み、レンズ装置Ａ１００及び操作部材Ａ２００に構成されているスイッチを識別する変数ｔに１を代入して初期化する。
【００５５】
次に、ステップＳ４０１に進み、ＳＷ操作手段１０１またはＳＷ操作手段１０００のスイッチ状態を読み出す。読み出すスイッチは変数ｔを参照して決める。図６の場合、変数ｔ＝１のとき、ＳＷ操作手段１０１のスイッチ状態を読み出し、変数ｔ＝２のとき、ＳＷ操作手段１０００のスイッチ状態を読み出す。
次に、ステップＳ４０２に進み、スイッチ状態を保持している第１ＳＷ状態[t]にステップＳ４０１にて読み出したスイッチ状態を記憶し、ステップＳ１０３へ進む。ステップＳ１０３、ステップＳ１０４は実施例１と同様なので説明を省略する。
【００５６】
次に、ステップＳ１０４が真のとき、ステップＳ４０３へ進む。ステップＳ４０３では、第ｎコネクタに接続されている操作部材よりスイッチ状態を受信する。受信するスイッチは変数ｔを参照して決める。図６の場合、変数ｔ＝１のとき、操作部材ＳＷ手段２０１のスイッチ状態を受信する。
次に、ステップＳ４０４では、ステップＳ４０３にて読み出したスイッチ状態及び第１ＳＷ状態[t]を合成し、第１ＳＷ状態[t]に記憶し、ステップＳ１０７へ進む。ステップＳ１０７は実施例１と同様なので説明を省略する。
【００５７】
次に、ステップＳ１０８に進み、変数ｎが総コネクタ数Ｎ以下である場合は、ステップＳ１０４に戻り、変数ｎが総コネクタ数Ｎより大きい場合は、ステップＳ４０５へ進む。ステップＳ４０５では、第２ＳＷ状態[t]に第１ＳＷ状態[t]を代入して初期化し、ステップＳ１１０へ進む。ステップＳ１１０、Ｓ１１１、Ｓ１１５、Ｓ１１６は実施例１と同様なので説明を省略する。
次に、ステップＳ１１１が真のとき、ステップＳ４０６へ進む。ステップＳ４０６では、第ｎコネクタに接続されているレンズ装置へ第１ＳＷ状態[t]を送信する。
【００５８】
次に、ステップＳ４０７に進み、第ｎコネクタに接続されているレンズ装置からスイッチ状態（外部設定情報）を受信する。受信するスイッチは変数ｔを参照して決める。
次に、ステップＳ４０８では、ステップＳ４０７にて受信したスイッチ状態及び第２ＳＷ状態[t]を合成し、第２の設定情報として第２ＳＷ状態[t]に記憶する。
ステップＳ１１１からＳ４０８までの処理をＮ個すべてのコネクタに対して実行する。Ｎ個すべてのコネクタに対する処理が終了すると、ステップＳ１１６からステップＳ４０９に進み、変数ｔをインクリメントする。
【００５９】
次に、ステップＳ４１０に進み、レンズ装置Ａ１００及び操作部材Ａ２００に構成されている総スイッチ種類数Ｔについて、受信及び合成が終了したか確認する。ステップＳ４０１が真のとき、確認していない種類のスイッチがあると判断して、ステップＳ４０１へ進み、ステップＳ４１０が偽になるまでステップＳ４０１からステップＳ４１０間を繰り返す。一方、ステップＳ４１０が偽のとき、レンズ装置Ａ１００及び操作部材Ａ２００に構成されている総スイッチ種類数Ｔについて、全種類のスイッチについて受信及び、合成が終了したと判断して、ステップＳ４１１へ進む。図６に示した本実施例の場合、ＲＥＴスイッチ１及び、ＲＥＴスイッチ２の２つなので、総スイッチ種類数Ｔ＝２となり、変数ｔ＝１及び変数ｔ＝２のとき、ステップＳ４０１に戻る。
【００６０】
ステップＳ４１１では、第２ＳＷ状態[t]に記憶しているスイッチの組合せに基づいて処理を切り替えて、カメラＡ５００またはレンズ内部処理手段に指令を送る。第２ＳＷ状態[t]に記憶しているスイッチの組合せに基づいて切り替える処理の例は後述する。ステップＳ４１１実行後はステップＳ１００に進み、ステップＳ１００からステップＳ４１１間を繰り返す。
【００６１】
次に、前述したスイッチの組合せに基づいて切り替える処理の例について、二つのスイッチ状態の組合せによる処理内容の例を図８に示す。
【００６２】
処理例１ではＲＥＴスイッチ１及びＲＥＴスイッチ２の状態がＯＦＦの場合、ビューファインダーＡ７００の表示がレンズ装置Ａ１００にて撮影されている映像となるように、カメラＡ５００に指令を送る。次に、処理例２ではＲＥＴスイッチ１の状態がＯＮ、ＲＥＴスイッチ２の状態がＯＦＦの場合、ビューファインダーＡ７００の表示が放送用撮影システムにおいて、放映中の映像である本線の映像となるように、カメラＡ５００に指令を送る。次に、処理例３ではＲＥＴスイッチ１及びＲＥＴスイッチ２の状態がＯＮの場合、ビューファインダーＡ７００の表示がレンズ装置Ｂ３００にて撮影されている映像となるように、カメラＡ５００に指令を送る。次に、ＲＥＴスイッチ１の状態がＯＦＦ、ＲＥＴスイッチ２の状態がＯＮの場合、ビューファインダーＡ７００の表示が不図示の３Ｄボックスにて生成された立体映像となるように、カメラＡ５００に指令を送る。
【００６３】
以上の構成によれば例えば、ＲＥＴスイッチ１及びＲＥＴスイッチ２の２つのスイッチで４つの映像を切り替えてビューファインダーＡ７００に表示することが可能となる。つまり、切り替えたい映像の数に対応する数だけ、スイッチを構成する必要がなくなる。また、ＲＥＣスイッチやプリセットスイッチ等のスイッチについても同様にスイッチを増やす必要がなくなる。更に、スイッチを最低限の数のみ構成するので、スイッチを増やす場合に比べて操作者の操作性が向上する。
【００６４】
また、本実施例ではスイッチとしてＳＷ操作手段１０１及びＳＷ操作手段１０００の２つとしたが、スイッチを増やして、複数のスイッチ状態の組合せに基づいて処理を切替れば、本発明の効果を得られる。また、スイッチ状態の組合せに基づく処理内容は外部から組合せ毎に任意に設定できるとしても良い。また、組み合わせるスイッチはレンズ装置Ａ１００に構成されているスイッチに限らず、操作部材Ａ２００及びレンズ装置Ｂ３００に構成されているスイッチを組み合わせても本発明の効果を得られる。これらは以降の実施例でも同様である。
【実施例４】
【００６５】
本実施例の最も特徴的な部分は、３台以上の複数台のカメラ及び、レンズ装置を用いて撮影する場合において、各レンズ装置が全てのレンズ装置のスイッチ状態を保持することで、任意のレンズ装置のスイッチ操作で複数システムを動作させることである。すなわち、レンズ装置の接続形態によらず、任意のレンズ装置のスイッチ操作で複数システムを動作させることが可能となる。第１実施例、第２実施例及び第３実施例では、２台のカメラ及びレンズ装置を用いた撮影形態について説明したが、３台以上の複数台の装置で撮影する運用方法も知られている。更に、レンズ装置の台数が増えるに従って、様々なレンズ装置の接続形態が考えられる。
【００６６】
以下の説明では、本発明を分かりやすくするために本発明の主要な部位のみ図示し、本発明に不要な部位は省略した。
本実施例におけるレンズシステムの構成を図９に示す。図１に示す第１実施例、図４に示す第２実施例及び、図６に示す第３実施例と同様な構成については説明を省略し、第１実施例、第２実施例及び、第３実施例とは異なる部分について以下に説明する。
【００６７】
まず、レンズ装置Ｃ１１００及びレンズ装置Ａ１００が第２コネクタ１０４及びレンズ装置Ｃ１１００の任意のコネクタを介して、接続されている。更に、レンズ装置Ｃ１１００には操作部材Ａ２００が接続されている。また、レンズ装置Ｃ１１００は着脱可能なカメラＣ１２００と接続されている。また、カメラＣ１２００はビューファインダーＣ１３００と接続されている。
【００６８】
また、レンズ装置Ａ１００とレンズ装置Ｃ１１００、カメラＡ５００とカメラＣ１２００及びビューファインダーＡ７００とビューファインダーＣ１３００は各々、互いに同様な構成である。したがって、レンズ装置Ａ１００、カメラＡ５００及びビューファインダーＡ７００についてのみ説明をする。
本実施例のレンズ装置Ａ１００においては、第２ＳＷ合成手段１１１に代えて全ＳＷ状態保持手段１４００を有する。全ＳＷ状態保持手段１４００はレンズ装置Ａ１００及びレンズ装置Ａ１００に接続されている他の全レンズ装置から送られるスイッチ状態を保持する。
【００６９】
次に、レンズ装置Ａ１００の動作を図１０及び、図１１に示すフローチャートを使用して詳細に説明する。図２、図３、図５及び、図７に示す第１実施例、第２実施例及び、第３実施例と同様な処理については説明を省略し、第１実施例、第２実施例及び、第３実施例とは異なる部分について説明する。ステップＳ１００からステップＳ１０８間は実施例１と同様なので説明を省略する。
ステップＳ１０８での判定が偽のとき、ステップＳ１１０へ進む。ステップＳ１１０、ステップＳ１１１は実施例１と同様なので説明を省略する。
【００７０】
次に、ステップＳ１１１が真のとき、ステップＳ５００へ進む。ステップＳ５００では、第ｎコネクタに接続されているレンズ装置が保持している、スイッチ状態に関するフラグ情報を受信し、一時的に保持する他フラグ配列に保持する。スイッチ状態に関するフラグ情報とは、レンズ装置を識別するレンズ識別情報と各レンズ装置のスイッチ状態のフラグを一組のデータとして保持している配列を表す。また、レンズ装置Ａ１００は他フラグ配列と同様な自フラグ配列にレンズ装置を識別するレンズ識別情報と各レンズ装置のスイッチ状態のフラグを一組のデータとして保持している。自フラグ配列のｎ番目のデータ内のレンズ識別情報は、自フラグ配列[n,1]で表され、自フラグ配列のｎ番目のデータ内のスイッチ状態のフラグは、自フラグ配列[n,2]で表されるものとする。
【００７１】
次に、ステップＳ５０１ではステップＳ５００にて受信した、他フラグ配列及び自フラグ配列間で、レンズ識別情報が一致するレンズ装置に対し、他フラグ配列内の該レンズ装置のスイッチ状態のフラグで、自フラグ配列内の該レンズ装置のスイッチ状態を更新する。一方、自フラグ配列内に、識別情報が一致するレンズ装置がなければ、自フラグ配列に該レンズ装置を識別する識別情報及びスイッチ状態を一組のデータとして、新たに加える。フラグ配列更新処理について図１１を使用して説明する。
【００７２】
図９の場合、自フラグ配列及び他フラグ配列は、３つのデータを有し、インデックス１から３に各々、レンズ装置の識別情報としては「レンズ装置Ａ１００」、「レンズ装置Ｂ３００」、「レンズ装置Ｃ１１００」が格納されているとして説明を進める。しかし、本発明は、各レンズ装置の自フラグ配列におけるインデックスと識別情報の対応はこれに限定されることはなく、レンズ装置毎に任意の対応で格納されていても構わない。
【００７３】
まず、ステップＳ６００では、他フラグ配列のインデックスとなる変数ｘに１を代入して初期化する。次に、ステップＳ６０１では、自フラグ配列のインデックスとなる変数ｉに１を代入して初期化する。
【００７４】
次に、ステップＳ６０２では、自フラグ配列[i,1]に保持してあるレンズ装置を識別する識別情報と他フラグ配列[x,1]に保持してあるレンズ装置を識別する識別情報が一致するか判断する。ステップＳ６０２での判断が真のとき、ステップＳ６０３へ進む。一方、ステップＳ６０２での判断が偽のとき、ステップＳ６０４へ進む。図９の場合、変数iと変数xが１の場合、変数iと変数xが２の場合、及び、変数iと変数xが３の場合はステップＳ６０３へ進む。
【００７５】
ステップＳ６０３では、自フラグ配列[i,2]に保持しているスイッチ状態に他フラグ配列[x,2]に保持しているスイッチ状態を代入して更新し、ステップＳ６０８へ進む。図９の場合、自フラグ配列[1,2]を他フラグ配列[1,2]の内容に、自フラグ配列[2,2]を他フラグ配列[2,2]の内容に、自フラグ配列[3,2]を他フラグ配列[3,2]の内容に各々書き換える。
【００７６】
次に、ステップＳ６０４ではインデックスiをインクリメントし、ステップＳ６０５へ進む。
ステップＳ６０５では、自フラグ配列に保持されている全要素について検索したか判断する。自フラグ配列に保持されている全要素について検索していない場合はステップＳ６０２へ戻り、ステップＳ６０２からステップＳ６０５間を繰り返す。一方、自フラグ配列に保持されている全要素について検索した場合はステップＳ６０６へ進む。
図９の場合、自フラグ配列の要素数Ｉは３となり、変数i＝２及び、変数i＝３のとき、ステップＳ６０５からステップＳ６０２へ戻る。
【００７７】
次に、ステップＳ６０６では、他フラグ配列[x]に保持されているレンズ装置を識別する識別情報とスイッチ状態のフラグを一組のデータとして、自フラグ配列に新たに加える。この処理により、当該レンズ装置で認識していないレンズ装置で、接続されている他のレンズ装置が認識していたレンズ装置をそのスイッチ状態とともに自フラグ配列に加える。
【００７８】
次に、ステップＳ６０７では、ステップＳ６０６にて自フラグ配列の構成要素が一つ増えたので、自フラグ配列の要素数Ｉをインクリメントし、ステップＳ６０８へ進む。
ステップＳ６０８では、変数ｘをインクリメントし、ステップＳ６０９へ進む。
ステップＳ６０９では、他フラグ配列に保持されている全フラグを自フラグ配列に反映したか判断する。ステップＳ６０９が真のとき、ステップＳ６０１へ進み、ステップＳ６０９が偽となるまで、ステップＳ６０１からステップＳ６０９間を繰り返す。一方、ステップＳ６０９が偽のとき、図１１のフラグ配列更新処理を終了し、図１０のステップＳ５０２へ進む。図９の場合、他フラグ配列の要素数Ｘは３となり、変数ｘ＝２及び変数ｘ＝３のとき、ステップＳ６０９からステップＳ６０１へ戻る。
【００７９】
次に、ステップＳ５０２では、ステップＳ１０７にて演算した値を、自フラグ配列のレンズ装置Ａ１００のスイッチ状態に代入して、更新する。図９の場合、自フラグ配列[1,2]に第１ＳＷ状態を代入する。
次に、ステップＳ５０３では、第ｎコネクタに接続されているレンズ装置に自フラグ配列を送信し、ステップＳ１１５へ進む。ステップＳ１１５は実施例１にて説明したので省略する。
【００８０】
ステップＳ１１１からＳ５０３までの処理をＮ個すべてのコネクタに対して実行する。Ｎ個すべてのコネクタに対する処理が終了すると、ステップＳ１１６からステップＳ５０４に進む。
ステップＳ５０４では、自フラグ配列内のスイッチ状態の論理和を演算し、カメラＡ５００またはレンズ内部処理手段１１３に指令を送る。ステップＳ５０４実行後はステップＳ１００に進み、ステップＳ１００からステップＳ５０４間を繰り返す。
【００８１】
以上の構成によれば２台を超える複数台のカメラ及び、レンズ装置を用いて撮影する場合において、全てのレンズ装置が各レンズ装置全てのスイッチ状態を保持することによって、任意のレンズ装置のスイッチ操作で複数システムを動作させることが可能となる。また、配列として全レンズ装置のスイッチ状態を保持することによって全レンズ装置で任意のレンズ装置のスイッチ操作を共有できる。更に、本実施例のようにレンズ装置Ｃ１１００とレンズ装置Ｂ３００が直接接続されていない場合でも、レンズ装置Ｃ１１００はレンズ装置Ｂ３００のスイッチ状態を反映することが可能となる。よって、複数台のレンズ装置が互いに直接接続されず、他のレンズ装置を介して接続されている運用形態など、様々な運用形態においても操作者は任意のレンズ装置のスイッチ操作で複数台のレンズ装置を動作させることが可能となる。
【００８２】
また、本実施例では、レンズ装置Ａ１００にレンズ装置Ｂ３００及びレンズ装置Ｃ１１００を接続したが、レンズ装置Ａ１００に構成するコネクタ数を増やして、操作部材Ａ２００とレンズ装置Ｃ１１００を接続する構成としても良い。また、レンズ装置Ｃ１１００とカメラＣ１２００は一体の構成としても良い。また、ビューファインダーＣ１３００とカメラＣ１２００は一体の構成としても良い。また、また、本実施例ではスイッチ状態の保持に配列を用いたが、撮影システムに構成されるレンズ装置のスイッチ状態を保持できるのであればこれに限らない。例えば、レンズ装置の数に対応する分だけ変数を用意する。また、本実施例は３台のカメラ及び、レンズ装置を用いたが、台数に限定されず、任意の複数台のカメラ及び、レンズ装置に適用できる。
【００８３】
以上、レンズ装置が１以上の他のレンズ装置と、該レンズ装置が持つ所定の機能に対する設定情報を送受信し、また、該所定の機能の設定を行うための１以上の操作手段を含む、レンズシステムについての本発明の好ましい実施形態について説明した。しかし、本発明はこれらの実施形態に限定されず、各実施例をスイッチ等によって切り替えても良いし、実施例を組み合わせても良く、その要旨の範囲内で種々の変形及び変更が可能である。
【産業上の利用可能性】
【００８４】
テレビレンズやビデオレンズ等の光学機器に関し、特に複数のレンズ装置を用いて撮影を行う光学機器に関して利用可能性がある。
【符号の説明】
【００８５】
１００  ： レンズ装置Ａ
１０５  ： 第１送信手段
１０６  ： 第２送信手段
１０７  ： 第１受信手段
１０８  ： 第２受信手段
１１０、１００２  ： 第１ＳＷ合成手段（変更手段）
１１１、１００３  ： 第２ＳＷ合成手段（実行手段）
１１２、１００４  ： ＳＷ処理手段（実行手段）
１１３  ： レンズ内部処理手段
３００  ： レンズ装置Ｂ
１１００： レンズ装置Ｃ
２００２： レンズＡ
２００３： レンズＢ
【図１】
2013160798.tif 000003
【図２】
2013160798.tif 000004
【図３】
2013160798.tif 000005
【図４】
2013160798.tif 000006
【図５】
2013160798.tif 000007
【図６】
2013160798.tif 000008
【図７】
2013160798.tif 000009
【図８】
2013160798.tif 000010
【図９】
2013160798.tif 000011
【図１０】
2013160798.tif 000012
【図１１】
2013160798.tif 000013
【図１２】
2013160798.tif 000014